(57)【要約】      （修正有）【課題】マウントによって光学素子ができるだけ安定かつできるだけ低応力な状態で固定される光学装置を提供する。【解決手段】光学素子１２は少なくとも１つのコンプライアントな支持部２２ａを介してマウント１６に固定され、支持部２２ａ、２２ｂ、２２ｃは、第１のスプリングストラット２６と、第２のスプリングストラット２８と、光学素子１２が接触点３２にて固定される接触領域３０とを有するスプリングストラット配列２４を有する。第１、第２のスプリングストラット２６，２８は第１の端部３４，３６を介して接触領域３０に、及び接触領域３０から遠い第２の端部３８，４０を介してマウント１６の外縁部４２に、それぞれ連結されて、第１、第２のスプリングストラット２６，２８は、接触領域３０の同じ側にてコンプライアンスの方向において隔てられて接触領域３０から延び、互いに平行である。【選択図】図５
2016029494.tif 000002
【特許請求の範囲】
【請求項１】
光学素子（１２；６２）と、
前記光学素子（１２；６２）が固定されているマウント（１６；６６）とを備え、
前記光学素子（１２；６２）は少なくとも１つのコンプライアントな支持部（２２ａ−
ｃ；７２ａ―ｄ）を介して前記マウント（１６；６６）に固定され、
前記支持部（２２ａ−ｃ；７２ａ―ｄ）は、第１のスプリングストラット（２６；７６
）と、少なくとも１つの第２のスプリングストラット（２８；７８）と、前記光学素子（
１２；６２）が接触点（３２；８２）にて固定される接触領域（３０；８０）とを有する
スプリングストラット配列（２４；７４）を有しており、
前記第１、第２のスプリングストラット（２６，２８；７６，７８）は、第１の端部（
３４，３６；８４，８６）を介して前記接触領域（３０；８０）に、及び前記接触領域か
ら遠い第２の端部（３８，４０；８８，９０）を介して前記マウントの外縁部（４２；９
２）に、それぞれ連結される光学装置において、
前記第１及び第２のスプリングストラット（２６，２８；７６，７８）は、前記接触領
域（３０；８０）の同じ側にて前記接触領域（３０；８０）から延び、互いにコンプライ
アンスの方向において隔てられ、実質的に互いに平行である
ことを特徴とする光学装置。
【請求項２】
前記第１、第２のスプリングストラット（２６，２８；７６，７８）は、板バネとして
形成されることを特徴とする請求項１に記載の光学装置。
【請求項３】
前記第１、第２のスプリングストラット（２６，２８；７６，７８）は、それぞれが、
それぞれの前記第１の端部（３４，３６；８４，８６）と前記第２の端部（３８，４０；
８８，９０）との間において、コンプライアンスの起きる平面内での湾曲を有することを
特徴とする請求項１又は請求項２に記載の光学装置。
【請求項４】
前記スプリングストラット（２６，２８；７６，７８）の湾曲は、前記光学素子からみ
て凹型であることを特徴とする請求項３に記載の光学装置。
【請求項５】
前記スプリングストラット（２６，２８；７６，７８）は、実質的に同じ長さであるこ
とを特徴とする請求項１乃至請求項４のいずれか１項に記載の光学装置。
【請求項６】
前記スプリングストラット（２６，２８；７６，７８）のコンプライアンスの方向にお
いて前記接触領域（３０；８０）の変位があるときに前記スプリングストラット（２６，
２８；７６，７８）に均一に応力が分布するように、少なくとも１つの前記スプリングス
トラット（２６，２８；７６，７８）は、全長にわたっての厚み及び／又は形状が変化す
ることを特徴とする請求項１乃至請求項５のいずれか１項に記載の光学装置。
【請求項７】
前記マウント（１６）は、それぞれスプリングストラット配列（２４）を有する３つの
コンプライアントな支持部（２２ａ−ｃ）を有し、前記３つの支持部（２２ａ−ｃ）の３
つの接触領域（３０）のそれぞれの２つの隣合う前記接触領域は、好適には１２０°間隔
で、互いに前記光学素子（１２；６２）の周りに隔てて配置されることを特徴とする請求
項１乃至請求項６のいずれか１項に記載の光学装置。
【請求項８】
前記マウント（６６）は、それぞれ前記スプリングストラット配列（７４）を有する少
なくとも４つのコンプライアントな支持部（７２ａ−ｄ）を有し、前記少なくとも４つの
支持部（２２ａ−ｄ）の少なくとも前記４つの接触領域（８０）のそれぞれの２つの隣合
う前記接触領域は、好適には９０°間隔で、互いに前記光学素子（１２；６２）の周りに
隔てて配置されることを特徴とする請求項１乃至請求項６のいずれか１項に記載の光学装
置。
【請求項９】
１０００Ｈｚより高い固有周波数を有することを特徴とする請求項１乃至請求項８のい
ずれか１項に記載の光学装置。
【請求項１０】
第２の光学素子（６２）及び第２のマウント（６６）をさらに備え、
前記第１の光学素子（１２）が前記第２の光学素子（６２）から光の伝播方向において
１ｍｍ未満の隔たりを有し、
前記第１のマウント（６６）は前記第１の光学素子（１２）のための第１の個数の前記
第１の支持部（２２ａ−ｃ）を有し、
前記第２のマウント（６６）は、前記第２の光学素子（６２）のための第２の個数の前
記第２の支持部（７２ａ−ｄ）を有し、
前記第１の個数は前記第２の個数と異なる
ことを特徴とする請求項１乃至請求項９のいずれか１項に記載の光学装置。
【請求項１１】
前記光学素子（１２；６２）の外縁部（９６；９８）には、少なくとも前記少なくとも
１つの接触点（３２；８２）の領域において、反射性の及び／又は吸引性のコーティング
が施されていることを特徴とする請求項１乃至請求項１０のいずれか１項に記載の光学装
置。
【請求項１２】
前記少なくとも１つの接触点（３２）を迷光／外来性の光から遮る開口絞り（１００）
をさらに備えることを特徴とする請求項１乃至請求項１１のいずれか１項に記載の光学装
置。
【請求項１３】
前記開口絞り（１００）は前記少なくとも１つの接触点（３２）に極めて近接して配置
されることを特徴とする請求項１２に記載の光学装置。
【発明の詳細な説明】
【技術分野】
【０００１】
本発明は、光学装置に関する。光学装置は、光学素子及び光学素子が固定されているマ
ウントを備え、光学素子は少なくとも１つのコンプライアントな支持部（ベアリング）を
介してマウントに固定されており、支持部は第１のスプリングストラットと、少なくとも
１つの第２のスプリングストラットと、光学素子が接触点にて固定される接触領域とを有
するスプリングストラット配列を有しており、第１及び第２のスプリングストラットは第
１の端部を介して接触領域に、及び接触領域から遠い第２の端部を介してマウントの外縁
部に、それぞれ固定的に連結されている。
【０００２】
上述の光学装置は、その使用により一般的に知られている。
【０００３】
最初に言及された種類の光学装置は、例えば円形状又は多角形状の外周を持つ小さなレ
ンズ等の比較的小さな光学素子を有することができる。ここで“小さな”光学素子、例え
ば“小さな”レンズ、とは、円形の光学素子に関していえば、直径が、例えばおよそ５ｍ
ｍからおよそ３０ｍｍの範囲にあることをいう。
【０００４】
最初に言及された種類の光学装置を用いることができる光学系においては、場合によっ
てはいわゆるダブレットが収差補正に用いられる。ここでダブレットとは、例えば１ｍｍ
未満の極薄のエアギャップを持ったレンズの二枚組であり、エアギャップは典型的には１
０μｍから１００μｍの範囲にある。これらのダブレットレンズは、光学系の全体的な収
差に大きな影響を与える。本発明は、特にダブレットレンズを有する光学装置に好適であ
る。
【０００５】
光学素子は、その材質及び表面に関して高品質であるべきことに加え、マウントによっ
て正しい位置及び表面形状が損なわれることが誘起されることもできるだけあってはなら
ず、特に応力によって誘起される複屈折を回避する必要がある。
【０００６】
光学素子の安定的な配置、表面形状の保全、及び応力誘起複屈折の回避の各要請は、時
には調整することが困難となる。安定的な配置のためには光学素子とマウントの間で安定
な連結が要されるところ、光学素子のマウントへの安定な連結は表面形状に変化を与えて
複屈折を発生させる応力を光学素子内に誘起することがある。これらの相反的な効果は、
吸収により作動中に光学素子及び／又はマウントが加熱する場合に、さらに悪化する。加
熱により光学素子が膨張し、これにより光学素子内に応力が生じることがあり、当該光学
素子の光学特性が損なわれことがある。
【０００７】
従来の光学装置は、例えばリングとして形成されたマウントを有し、マウントには光学
素子の外縁部が軸方向に置かれる環状オフセットが形成されている。光学素子の外縁部と
マウント本体との間には隙間が残され、光学素子をマウントに固定するために隙間には接
着剤が充填される。複合レンズ内での環境条件（大気中の湿度、短波長光）により、接着
剤の体積は変動し、これに伴いマウント及びレンズに作用する力の均衡も影響を受け、そ
の結果として形状及び／又は位置に関して光学特性が損なわれることになる。
【０００８】
これら従来の光学装置のほか、少なくとも１つ、通常は３つの、光学素子の周囲に配置
された、コンプライアントな支持部によって、光学素子がマウントに連結される光学装置
も知られている。この場合、各支持部は、第１のスプリングストラット及び少なくとも１
つの第２のスプリングストラットを有するスプリングストラット配列を有し、第１のスプ
リングストラット及び少なくとも１つの第２のスプリングストラットが、スプリングスト
ラット配列が光学素子に連結される接触領域の両側へ延び、かつ、それぞれの他方の端部
によってマウントの外部領域に連結される。このようなスプリングストラット配列は、バ
イラテラルスプリングストラットと称せられることもある。
【０００９】
しかし、バイラテラルスプリングストラットと共に用いるコンプライアントな支持部の
構成は、例えば上述の直径の範囲にある微小レンズに容易に用いることができない。生産
に関する技術的な理由により、バイラテラルスプリングストラットの薄さはおよそ０．２
ｍｍから０．３ｍｍまでの範囲に限られる一方、バイラテラルスプリングストラットの最
大長は他の２つの支持部に関する隣接する２つのスプリングストラット配列によってそれ
ぞれ制約を受けるため、そのようなバイラテラルスプリングストラット配列によっては、
支持部について十分なコンプライアンスを達成することができない。光学素子の熱膨張に
よるスプリングストラットの変形は、スプリングストラット配列において望ましくない高
度の応力を発生させ、結果として光学素子に対応する高度の圧縮力を及ぼし、複屈折を誘
起することがあり、また、光学素子を変形させることがある。
【００１０】
小さな光学素子に関しては、上述のバイラテラルスプリングストラットを単なるユニラ
テラルスプリングストラットと代替させることも提案されており、この場合接触領域の片
側から１つのみのスプリングストラットが延び、他方の端部によってマウントの本体に固
定的に連結されている。スプリングストラットのこのような構成においては、前述の空間
的な問題はもはや存在せず、すなわち、シングルスプリングストラットは、バイラテラル
スプリングストラットの２つのスプリングストラットに比してより長いものであることが
でき、これによってバイラテラルスプリングストラットに比してより低い応力が光学素子
に与えられ、かつ同時に、より大きな変形量が確保される。
【００１１】
しかし、ユニラテラルスプリングストラットのみのスプリングストラットの構成には不
利益もある。第１の不利益としては、マウントとの関係で光学素子に熱起因性の膨張があ
る場合、接触領域と光学素子との間の接触点が曲げモーメントにさらされ、これにより光
学素子を接触領域に連結する接着剤又はハンダの剥離につながることがあるということが
挙げられる。結果として、光学素子の配置的安定は保証されていない。さらなる不利益と
しては、光学装置が使用されるシステムの振幅／振動下での共振を回避するのに十分な剛
性がユニラテラルスプリングストラットにはないことが挙げられる。光学装置における共
振は、光学特性を損なわせる光学素子の位置の変動を招く。より高い剛性は、スプリング
ストラットの長さをより短くすることによって達成できるが、上述したように、変形量に
対するスプリングストラット内の応力の比の悪化を伴う。
【００１２】
したがって、ユニラテラルスプリングストラットを持つスプリングストラット配列によ
るこのような種類の、光学素子のマウントへの固定は上述の各要請からみて不十分である
。
【発明の概要】
【００１３】
本発明は、マウントによって光学素子ができるだけ安定かつできるだけ低応力な状態で
固定される、最初に言及した種類の、光学装置を提供することを目的としている。
【００１４】
当該目的は、最初に言及した光学装置、すなわち、接触領域の同じ側にて接触領域から
延びる、互いにコンプライアンスの方向において隔てられた、実質的に互いに平行である
第１及び第２のスプリングストラットに関する発明に基づいて、達成される。
【００１５】
本発明による光学配列の少なくとも１つ支持部のスプリングストラット配列は、接触領
域の片側から延びる少なくとも２つの平行なスプリングストラットにより形成される平行
スプリングストラットを有する。それぞれ１つのユニラテラルスプリングストラットしか
有さない既知の光学装置のスプリングストラット配列との比較では、本発明による光学装
置の平行スプリングストラットは、光学素子の膨張が生じた場合に、接着剤又はハンダの
接触点での剥離を生じさせるような、接触領域と光学素子との間の接触点におけるトルク
を発生させない利点を有する。これは、平行スプリングストラット自身がその構造によっ
て最初から接触領域において、光学素子の中心の移動を伴わない光学素子の回転のみをも
たらすような接触領域の平行移動しか生じさせないモーメントを発生させるからである。
第１のスプリングストラット及び少なくとも１つの第２のスプリングストラットによって
接触領域に加えられる力は、どれも等しい大きさであり、接触領域において逆方向に作用
するものである。２つのスプリングストラットの間の変形方向における距離によって、ト
ルクが生じ、このトルクは光学素子が膨張する際に発生するトルクに正対して作用する。
結果として、接触領域と光学素子との間の接触点においてはトルクが発生しない。
【００１６】
本発明による光学装置の平行スプリングストラットのさらなる利点としては、単一のユ
ニラテラルスプリングストラットを有するスプリングストラット配列との比較で、より大
きな固有の剛性が挙げられる。このようなスプリングストラット配列のより大きな固有の
剛性は、より小さな固有の剛性しかないスプリングストラット配列に比して、より良い、
マウント内における光学素子のいわゆる配置的安定性を確保する。さらに、平行スプリン
グストラット配列を有する１つ又は複数の支持部のより大きな固有の剛性は、光学装置の
固有周波数をより高位の周波数に上げる。このことは、光学装置が設置された光学系内の
振幅又は振動が、光学装置に固有振動をもたらすことができず、光学素子の配置的安定を
向上させるという利点を有する。
【００１７】
平行スプリングストラットのより大きな固有の剛性の結果として、平行スプリングスト
ラットの個々のスプリングストラットをより長くすることができ、この事により変形量に
対するスプリングストラット配列内での応力の比がより有利なものとなる。すなわち、光
学素子の半径方向への膨張が比較的に大きなたわみをスプリングストラット配列に生じさ
せても、光学素子に応力を生じさせて特に応力誘起複屈折を生じさせる、スプリングスト
ラット配列への応力がより小さなものとなる。
【００１８】
スプリングストラットは、好適には板バネとして形成されるが、ワイヤやマウントにお
けるスロット等であることもできる。
【００１９】
さらなる好適な構成においては、第１、第２のスプリングストラットは、それぞれが、
それぞれの第１の端部と第２の端部との間において、コンプライアンスの起きる平面内で
の湾曲を有する。
【００２０】
平行スプリングストラットに関して、各スプリングストラットが湾曲しながら互いに平
行に延びる構成は、光学素子と接触領域とが接触する点の近傍領域における曲げモーメン
トをなくすことに関して特に有利である。
【００２１】
この観点からは、光学素子からみて、スプリングストラットの湾曲が凹型であることが
さらに好ましい。
【００２２】
光学素子からみて凹型である平行スプリングストラットの構成は、例えば光学装置が動
作を終えて再び冷えた場合等、半径方向への撓みがあった後のスプリングストラットの構
成の復元がより良好に行われるという利点がある。
【００２３】
さらなる好適な実施例においては、スプリングストラットは実質的に同じ長さのものと
される。
【００２４】
実質的に同じ長さのものとされるスプリングストラットを有する平行スプリングストラ
ットの構成は、平行スプリングストラットの全体としてのバネ特性がより適切に決定され
るという利点を有する。
【００２５】
さらなる好適な構成においては、少なくとも１つのスプリングストラットは、全長にわ
たっての厚み及び／又は形状が変化するようなものであって、接触領域の変位があった場
合にスプリングストラットに均一に応力が分布するような構成とされる。
【００２６】
望ましくは、平行スプリングストラット配列の両方のスプリングストラットは、接触領
域に変位があった場合にスプリングストラットに均一に応力が分布するよう、その全長に
わたって変化する厚み及び／又は形状を有する。
【００２７】
一様の厚さを有するスプリングストラットは、変形された際に、例えばスプリングスト
ラットの全長の中間に比して、より高い応力をスプリングストラットがマウントに連結さ
れている場所の近くで発生させるという欠点を有する。結果として、変形変位量と剛性の
比が制限される。換言すれば、所与の変形に対して生じる応力を抑制するためには、剛性
を減少させる必要がある。しかし、スプリングストラットの全長にわたっての厚み及び／
又は形状が変化するように設計されている場合においては、変形が最大の場合であっても
、スプリングストラットの全長にわたって等しい曲げ応力が生じることになる。特にこの
構成は、光学素子を固定する応力に変化をもたらし、光学素子を最適な配置から排する可
能性がある、平行スプリングストラットの塑性変形を回避することができる。平行スプリ
ングストラット配列のための、全長にわたっての厚み及び／又は形状が変化するようなス
プリングストラットを生産するためには、マウントを一体的に生産し、スプリングストラ
ットを材料の塊から所望の厚み及び／又は形状の変化を持つように、例えばワイヤ放電加
工等によって、削り出す。
【００２８】
さらなる好適な構成においては、マウントはそれぞれスプリングストラット配列を有す
る３つのコンプライアントな支持部を有し、３つの支持部の３つの接触領域のそれぞれの
２つの隣合う接触領域は、好適には１２０°間隔で、互いに光学素子の周りに隔てて配置
される。
【００２９】
この場合においては、３つの支持部のそれぞれは、平行スプリングストラットとして形
成されたスプリングストラット配列を有する。この場合、３つの平行スプリングストラッ
トは、同じ方向に向くように配列されている。即ち、光学素子の周りの方向からみられる
ように、各支持部の平行スプリングストラットは、それぞれの接触領域から同じ回り方向
に延びるのである。この場合、熱により誘起された光学素子又はマウントの膨張は、単に
光学素子を光軸の周りで回転させるだけであり、これは光学素子の中心点の所望位置から
の移動を伴わない。
【００３０】
上述の構成の代替構成としては、マウントは少なくとも４つのコンプライアントな支持
部を有することができ、それぞれの支持部はスプリングストラット配列を有し、少なくと
も４つの支持部の少なくとも４つの接触領域のそれぞれの２つの隣合う接触領域は、好適
には９０°間隔で、互いに光学素子の周りに隔てて配置される。
【００３１】
また、この構成においては、少なくとも４つの支持部の平行スプリングストラット配列
は、光学素子の周りで同じ方向に向けられている。本発明の範疇において４つ以上のコン
プライアントな支持部を用いることも可能であり、支持部の一部又は全部が、本発明によ
るスプリングストラット配列を有することができる。
【００３２】
好適には、３つ又は４つのコンプライアントな支持部を持つ構成においては、これらの
スプリングストラット配列は、同じ形をもって形成される。
【００３３】
さらなる好適な構成においては、光学装置は、１０００Ｈｚより高い、より望ましくは
２０００Ｈｚより高い、固有周波数を有する。
【００３４】
本発明による光学装置のこの性質は、光学装置が設置されている光学系での１０００Ｈ
ｚ未満の周波数の振動又は振幅によって光学装置の共振が励起されないという利点をもた
らす。１０００Ｈｚを超える高い固有周波数は、具体的には、平行スプリングストラット
を有する本発明による光学装置の構成によって実現される。これは、平行スプリングスト
ラットは高度な固有剛性を有しつつも同時に大きななコンプライアンスを持つことに起因
する。
【００３５】
さらなる好適な構成においては、光学装置は第２の光学素子と第２のマウントが与えら
れており、第１の光学素子は第２の光学素子から光の伝播方向において１ｍｍ未満の隔た
りを有し、第１のマウントは第１の光学素子のための第１の個数の第１の支持部を有し、
第２のマウントは、第２の光学素子のための第２の個数の第２の支持部を有し、第１の個
数は第２の個数と異なる。
【００３６】
この構成は、ダブレットをマウントするのにとって特に有利であり、個々のレンズはそ
れぞれが本発明によるマウントによって保持される。２つの光学素子に関しての異なる個
数の、本発明によるそれぞれ平行スプリングストラットで構成されるコンプライアントな
支持部は、異なる運動モード及び異なる固有周波数が生起されることによって、２つのマ
ウント間での相互励起が回避される。
【００３７】
次の構成は、本発明による光学装置にさらなる側面をもたらす。光学素子が接触点にて
接触領域に接着剤を用いて連結される場合においては、有効光の露光を受けることによっ
て接着剤が破壊されないことが保証される必要がある。短波長の光（波長＜４００ｎｍ、
特に紫外線域の光）は、炭化水素結合を破壊することによって炭化水素ベースの接着剤を
破壊する。接着剤の破壊によって、光学素子とマウントの接触領域との接触が失われ、も
はや光学素子が元の位置に保持されることができなくなるという結果が伴う。さらに、破
壊された炭化水素結合は気体を発し、光学素子の表面を汚染する可能性があり、透過率及
び結像特性を損なうことがある。したがって、本発明に関しては、接触領域と光学素子の
間の接触点とが光の影響から保護されていることが好適な態様で提供されている。
【００３８】
この目的のため、第１の好適な構成においては、光学素子の外縁部に、少なくとも１つ
の接触点の少なくとも１つの領域において、反射性の及び／又は吸引性のコーティングが
施されている。
【００３９】
この手段は、光学素子自体からの光が“内側から”接触点に当たることを有利に阻止す
ることができる。このような“内部からの光”は、光学素子の光学材料内での拡散によっ
て発生する。
【００４０】
さらなる好適な構成においては、少なくとも１つの接触領域を迷光／外来性の光を遮る
開口絞りがある。
【００４１】
この手段は、光学系の他の光学素子、当該光学素子のマウント、他の光学素子の他のマ
ウントから発生する“外部光”、すなわち迷光又は外来性の光が、接触点に当たることを
有利に阻止することができる。
【００４２】
好適には、上述の２つの構成は、互いに組み合わせることができる。
【００４３】
最後に述べられた構成の敷衍としては、開口絞りは、少なくとも１つの接触点に極めて
近接して配置されるのであり、開口絞りは、接触領域に極めて近接して配置される、光学
素子上のコーティングとして形成されることもできる。
【００４４】
原理においては、迷光の大部分を遮蔽することを可能にするためにも、開口絞りは接触
点から僅かの距離において配置された方が有利である。
【００４５】
以下の説明及び付属の図面からは、さらなる利点及び特徴が明らかになる。
【００４６】
上述の特徴及びこれから述べる特徴は、言うまでもなく、本発明の範疇から逸脱せずに
、それぞれについて特定された組合せのみならず、他の組合せとしても実施することがで
きる。
【図面の簡単な説明】
【００４７】
本発明の例示的な実施形態は図面において表されており、その詳細は当該図面の参照を
伴い後述される。
【００４８】
【図１】従来的光学装置の基本的な概略図である。
【図２】図１における光学装置が小さな光学素子を有する場合の概略図である。
【図３】さらなる従来的光学装置の概略図である。
【図４】図３の光学装置の光学素子の熱膨張の影響を説明するための図３の光学装置の詳細を示す図である。
【図５】本発明の第１の実施形態による光学装置の概略図である。５Aは平面図であり、５Bは５Aの光学装置のVB−VB線でみた断面図である。
【図６】５A及び５Bの光学装置の光学素子の熱膨張の影響を説明するための５A及び５Bの光学装置の詳細を示す概略図である。
【図７】さらなる典型的実施形態による光学装置の概略図である。７Aは平面図であり、７Bは７Aの光学装置のVIIB−VIIB線でみた断面図である。
【図８】５A、５B及び７A、７Bによる光学装置の組合せを表す光学装置の概略図である。８Aは、平面図であり、８Bは、８Aの光学装置のVIIIB−VIIIB線でみた断面図である。
【発明を実施するための形態】
【００４９】
図１−４においては、従来技術による光学装置が表されている。
【００５０】
図１においては、光学装置２００が基本的な態様で表されている。光学装置２００は、
光軸２０４（光軸は、図面の平面に対して直角である。）を定める光学素子２０２を有し
ている。光学装置２００は、マウント２０６も有しており、図１及び図２−４においては
、これは単に、空間的に固定された基準点として概略的に示されている。
【００５１】
光学素子２０２は、マウント２０６に３つの支持部２０８ａ、２０８ｂ及び２０８ｃを
介して固定されている。各支持部は、光軸との関係で、半径方向に撓むものである。
【００５２】
支持部２０８ａ、２０８ｂ及び２０８ｃはそれぞれスプリングストラット配列２１０ａ
、２１０ｂ及び２１０ｃを有する。３つの支持部２０８ａ、２０８ｂ及び２０８ｃは、光
学素子２０２の外縁部に等間隔に分布している、すなわち、それぞれ互いに１２０°間隔
を持つため、かつ、スプリングストラット配列２１０ａ、２１０ｂ及び２１０ｃは、互い
に同じ形に形成されているため、以下においてはスプリングストラット配列２１０ａのみ
について詳述する。
【００５３】
スプリングストラット配列２１０ａは、バイラテラルスプリングストラットの形式をと
り、第１のスプリングストラット２１２及び第２のスプリングストラット２１４を有する
。スプリングストラット２１２及び２１４は、スプリングストラット配列２１０ａを光学
素子２０２に固定的に連結する接触領域２１６の両側から延び、接触領域から離れたそれ
ぞれの端部２１８及び２２０によってマウント２０６の本体に固定される。
【００５４】
図１において実線は、スプリングストラット配列２１０ａ、２１０ｂ及び２１０ｃが実
質的に弛んでいる、光学装置２００の通常状態を表す。もし、この状態から光学素子２０
２が光軸２０４（破線部）との関係で半径方向に急激に膨張した場合においては、それに
対応して、スプリングストラット配列２１０ａ、２１０ｂ及び２１０ｃは光軸２０４との
関係で半径方向外側へ引き伸ばされる。
【００５５】
図２であらわされているような光学素子が小さなものである場合、スプリングストラッ
ト配列２１０ａ、２１０ｂ及び２１０ｃをバイラテラルスプリングストラットとすると、
個々のスプリングストラットは適切の長さのものとすることができない。図２では、光学
素子２０２’は、図１の光学素子２０２に比して遥かに小さな直径を有する。このように
小さな光学素子２０２’の場合、スプリングストラット配列２１０ａ’、２１０ｂ’及び
２１０ｃ’は、互いに交差しなければならない。しかし、これは機械的にも技術的にも、
生産の観点から実現することはできない。
【００５６】
したがって、図３にあるように、従来技術においては、光学装置２００”に関して、光
学素子２０２”をマウント２０６”に固定するために、スプリングストラット配列２１０
ａ”について示されているようにスプリングストラット配列２１０ａ”、２１０ｂ”及び
２１０ｃ”がマウント２０６”にそれぞれにおいて１つの点２２０”のみを介して固定的
に連結することを目的としてバイラテラルスプリングストラットの代わりにユニラテラル
スプリングストラット２１８”のみを有するスプリングストラット配列２１０ａ”、２１
０ｂ”及び２１０ｃ”を用いることが提案されている。
【００５７】
結果として、スプリングストラット配列２１０ａ”、２１０ｂ”及び２１０ｃ”の機械
的干渉は、光学素子２０２”が小さな場合にも回避される。また、マウント２０６”へ１
つの連結しか有さないため、スプリングストラット配列２１０ａ”、２１０ｂ”及び２１
０ｃ”はより柔軟すなわちより低いバネ剛性を持ち、言い換えればスプリングストラット
配列２１０ａ”、２１０ｂ”及び２１０ｃ”はより低い固有の剛性を持ち、これにより光
学配列２００”により低い固有周波数を与える。
【００５８】
図４に示されているのと同様に、図３による構成も光学素子２０２”（図３の破線部）
が膨張する場合に、曲げモーメントが、接触領域２１６”、より具体的には矢印２２４”
によって示されている光学素子が接合される接触点２２２”、において作用し、接触点２
２２”にての引張応力を発生させる、接触点２２２”にて矢印２２６”によって示されて
いるような応力分布、を発生させるという欠点がある。このような引張応力は、接触領域
２１６”を光学素子２０２”に接合する接着剤又はハンダの例えば剥離を生じさせること
があり、結果としてマウント２０６”上での光学素子２０２”の配置的に安定的な保持が
もはや保証されないことになる。
【００５９】
本発明による光学装置は、図５−８を参照して以下に説明され、これらにおいては上述
の従来技術における欠点が回避される。
【００６０】
図５Ａ及び５Ｂは、光軸１４によって限定される光学素子１２を有し、また、マウント
１６も有する光学装置１０を示す。
【００６１】
示されている例示的な実施形態においては、光学素子１２は円形状の外周を持った平面
凸レンズである。光学素子１２は、具体的には、直径数ミリの小さなレンズである。光学
素子１２は、回転対称性を有さない、例えばシリンドリカルレンズ等であることもできる
。したがって、光軸１４の存在は、例示的なものであると理解されたい。
【００６２】
マウント１６は、好適には、金属製の本体を有しかつ全体が一体的に製造され、環状の
外周１８及び基部２０を有する。
【００６３】
光学素子１２はマウント１６に３つのコンプライアントな支持部２２ａ、２２ｂ及び２
２ｃを介して固定されている。示されている例示的な実施形態においては、コンプライア
ンスは光軸１４との関係で半径方向である。支持部２２ａ乃至２２ｃは互いに同じ形に形
成されているため、以下においては支持部２２ａのみが例示としてさらに説明される。以
下の説明は、同様に支持部２２ｂ及び２２ｃにも妥当する。
【００６４】
支持部２２ａは、第１のスプリングストラット２６及び第２のスプリングストラット２
８並びに接触領域３０を有するスプリングストラット配列２４を有する。光学素子１２は
、接触点３２にて接着又はハンダ付によって接触領域３０に固定される。接触領域３０は
、接触装具の形をとる。
【００６５】
第１のスプリングストラット２６の第１の端部３４及び第２のスプリングストラット２
８の第１の端部３６は、一体的なものとして接触領域３０に連結される。この場合、端部
３４及び３６は、スプリングストラット２６及び２８の長手方向においておよそ平行に配
列される若しくは対向して配列される。
【００６６】
スプリングストラット２６及び２８は板バネとして形成される。
【００６７】
スプリングストラット２６及び２８は両方とも、接触領域３０の片側へ延び出る。接触
領域から遠い、接触領域第１のスプリングストラット２６の第２の端部３８及び第２のス
プリングストラット２８の第２の端部４０は、同様に一体的なものとして、マウント１６
の基部２０の光学素子１２からみて外側の領域に連結される。端部３８及び４０も、互い
に対向して配列されている。
【００６８】
第１のスプリングストラット２６及び第２のスプリングストラット２８は、それらのコ
ンプライアンスの方向において互いに離されており、この方向は光軸１４に対して直交な
平面内にあり（すなわち図５Ａによる図の平面）、隔離距離は板バネ２６及び２８の長さ
と比べて小さなものである。そして、第１のスプリングストラット２６及び第２のスプリ
ングストラット２８は、それぞれの第１の端部３４及び３６と第２の端部３８及び４０と
の間で実質的に互いに平行に延び、結果的に平行スプリングストラットを形成する。“実
質的に平行”には、スプリングストラット２６及び２８が互いとの関係で１０°未満の小
さな角度を持つ場合も含む。
【００６９】
それぞれの第１の端部３４又は３６及びそれぞれの第２の端部３８又は４０との間で、
第１のスプリングストラット２６及び第２のスプリングストラット２８は、コンプライア
ンスの起きる平面内で湾曲しており、これら２つのスプリングストラットの湾曲は光学素
子１２から見たときに凹型である。さらに、第１のスプリングストラット及び第２のスプ
リングストラットの長さは、実質的に同じであり、湾曲のため、第１のスプリングストラ
ット２６は“外側”のスプリングストラットとして第２のスプリングストラット２８より
若干長い。
【００７０】
例示的な実施形態中に示されている板バネ配列２４は２つのスプリングストラットを有
しているものの、より多くの数のスプリングストラット、例えば３つ又は４つのスプリン
グストラットが板バネ配列２４において設けられることができ、スプリングストラットの
数の増加はスプリングストラット配列２４の固有の剛性の増加につながる。
【００７１】
しかし、２つのスプリングストラット２６及び２８を有するスプリングストラット配列
２４は、その構成故既に大きな固有の剛性を有しており、光学装置１０は全体として１０
００Ｈｚ以上の固有周波数を有しており、示されている例示的な実施形態においては、２
０００Ｈｚをも超える。
【００７２】
既に上述されたように、光学装置１０のマウント１６は、全部で３つのコンプライアン
トな支持部２２ａ、２２ｂ及び２２ｃを有しており、支持部２２ｂ及び２２ｃはそれぞれ
同様に平行スプリングストラットによって形成されるスプリングストラット配列を有し、
図５Ａに示されるように、それぞれは位置を除いてスプリングストラット配列２４と同じ
である。支持部２２ａ、２２ｂ及び２２ｃの個々のスプリングストラット配列は光学素子
１２の周りで同じ方向に向けてあり、３つの平行スプリングストラット配列の接触領域は
２個組で光学素子１２の周りに１２０°間隔で配置されている。
【００７３】
接触領域３０（支持部２２ｂ及び２２ｃの２つの接触領域に関しても同様のことはいえ
る。）は、止め子４４を有し、この止め子は接触領域３０の続きに設けられ、スプリング
ストラット配列２４の移動経路を制限するために、マウント１６の本体上の受け部４６と
作用する。これは、光学素子１２が組み込まれる際に、非可逆的な変形によってスプリン
グストラット配列２４に他の定義されていない応力付加状態をもたらすことがある、スプ
リングストラット配列２４の伸ばされすぎ状態、を予防するための役割を果たす。
【００７４】
光学素子１２の膨張が、光学素子１２への接触領域３０の接触点３２にての連結へもた
らす影響は、概略図たる図６ａ）乃至ｃ）を伴って以下に説明される。
【００７５】
図６ａ）は図５Ａのスプリングストラット配列２４の弛緩した状態の概略図を示す。光
学素子１２（図６にては図示されていない）が半径方向に膨張すると、光学素子１２は接
触領域３０に力Ｆを加え、これにより図６ｂ）で誇張されて示されているように、平行ス
プリングストラット２６及び２８の撓みがもたらされる。図４のユニラテラルスプリング
ストラットと異なり、接触領域３０と光学素子１２との間の接触点３２においては、接触
領域３０と光学素子１２との間の接着剤又はハンダの剥離につながることがある曲げモー
メントが発生しない。この効果は、スプリングストラット配列２４が平行スプリングスト
ラットとして構成されていることによってもたらされる。これは、変形によって第１のス
プリングストラット２６が図６ｃ）にある矢印５０による力Ｆ１を接触領域３０に付加す
る一方、第２のスプリングストラット２８が図６ｃ）にある矢印５２による力Ｆ２を接触
領域３０に付加し、力Ｆ１及びＦ２は大きさが等しいものの作用方向が逆であるからであ
る。そして、２つのスプリングストラット２６と２８との間のコンプライアンスの方向に
おいての距離は、図６ｃ）の矢印５４によるトルクＭを生じさせ、これにより光学素子１
２により及ぼされる力Ｆが打ち消される。結果として、接触領域３０と光学素子１２との
間の接触点３２において合成トルクは発生しない。換言すれば、スプリングストラット２
６及び２８を備える平行スプリングストラットそれ自体は、接触領域３０において光学素
子１２によって及ぼされるモーメントを打ち消すモーメントを発生させ、これにより接触
領域３０は平行移動のみを行うという効果につながる。光学素子１２に熱膨張が生じた又
はスプリングストラット配列の支持部２２ａ、２２ｂ及び２２ｃの膨張が生じた場合、光
学素子１２と支持部２２ａ、２２ｂ及び２２ｃの接触領域との間の接触点にて接着剤又は
ハンダの剥離を起こす曲げモーメントを伴わずに、単に光学素子１２の光軸を中心とした
僅かな回転が発生するに過ぎない。
【００７６】
図５Ａ及び５Ｂによる光学装置１０のスプリングストラット２４は（また同様に支持部
２２ｂ及び２２ｃのスプリングストラットも）、好適にはマウント１６の本体の他の部分
と共に一体的に形成される。スプリングストラット配列２４及び支持部２２ｂ及び２２ｃ
のスプリングストラット配列は、好適にはマウント１６の基部から、例えばワイヤ放電加
工等によって、形成される。したがって、マウント１６は全体としては、好適には一体的
なものである。これによって、スプリングストラット配列２４及び支持部２２ｂ及び２２
ｃのスプリングストラット配列は、基部２０の材料摘出部分５６によって作られるのであ
り、図５Ａにある引き伸ばされた穴の形をとるさらなる材料摘出部分を基部２０に設ける
こともできる。
【００７７】
スプリングストラット配列２４及び支持部２２ｂ及び２２ｃのスプリングストラット配
列を含むマウント１６の一体的形成には、接触領域３０の半径方向における変位があって
も必ずスプリングストラット２６及び２８内においては応力の均一な分布が生じるという
効果を得ることができるように、第１の端部３４及び３６から第２の端部３８及び４０の
間の全長にわたって変化する厚み及び／又は形状をスプリングストラット２６及び２８に
持たせることができるという利点がある。
【００７８】
これは、均一の厚みを持つスプリングストラットは、変形に際しては、第２の端部３８
及び４０、すなわち、スプリングストラットがマウント１６の本体に連結される当該部分
において、例えばスプリングストラット２６及び２８の全長の中間より高い応力を受ける
という不利益を有するからである。これにより、変形変位量と剛性の比が制限されるので
あり、すなわち所与の変形に対して生じる応力を抑制するためには、剛性を減少させる必
要がある。負荷が短時間に、一度だけ掛けられる場合、例えば光学素子１２がマウント１
６に組み込まれる際等、においては、Ｒｐ０．２制限値が許容される応力として用いられ
る。Ｒｐｘ制限値とは、負荷がなくなっても恒久的に残存する伸びがｘ％となる応力をい
うものと理解される。より長く続く又はより頻繁に発生する作動状況に関しては、許容さ
れる最大応力はさらにＲｐ０．０５制限値に制限される。これにより、弛緩の結果生じる
スプリングストラット２６及び２８の塑性変形が回避され、また、光学素子１２の中心点
を移動させることがある理論的に新たな無応力状態によって起こされる応力の変化も回避
される。鋼板から切り出されて組み込まれるスプリングストラットは均一の厚みを持って
のみ対費用的に効率よく生産することができる。したがって、本発明の範疇内において、
マウント１６は、スプリングストラット２６及び２８の厚み及び／又は形状をその全長に
わたって自由に決めるため、好適には例えばワイヤ放電加工等によって一体的に生産され
る。有限要素解析の手法により、スプリングストラット２６及び２８の厚み及び／又は形
状に関しての変化量が、最大の変位量下で、スプリングストラット２６及び２８の全長に
おいて同じ応力が作用するように最適化される。
【００７９】
示されている例示的な実施形態においては、第１のスプリングストラット２６の第２の
端部３８の領域が第１の端部３４の領域よりもおよそ２５％余計に厚い（厚みは光軸１４
と直交する平面におけるものである）。
【００８０】
光学素子１２及びマウント１６の異なる膨張によって発生する応力の一部は、光学素子
１２と熱膨張率に関して良く合う材料をマウント１６の材料として用いることにより予防
することができる。極めて膨張率の低い（０．５ｐｐｍ）石英が光学素子１２に用いられ
ている場合には、マウント１６にはおよそ１．５から２．５ｐｐｍの膨張率を持つ鉄−ニ
ッケル合金たるインバーが特に好適である。光学素子１２がＣａＦ２（膨張率が１９ｐｐ
ｍ）により作られる場合においては、マウント１６の材料としてはアルミニウム（膨張率
が２２ｐｐｍ）が特に好適である。熱膨張率の観点からマウントの最適素材を決定するに
際しては、マウント１６において生じる温度変化に対して全体的に注意を払う必要がある
。これは、光学素子１２及びマウント１６にて吸収されるエネルギーに依存する。光学素
子１２と接触領域３０との間の接触点３２そしてマウント１６に特に注意を払う必要があ
り、例えば熱起因の応力によって既に接着剤又はハンダが破壊されていない必要がある。
【００８１】
図７Ａ及び７Ｂでは、光学装置６０のさらなる例示的実施形態が示されており、光学装
置６０の詳細は光学装置１０のそれと同一、同様又は類似であり、対応する参照番号に５
０を加算した番号によって参照される。
【００８２】
光学装置６０は光学素子６２を有しており、光学素子６２は凹凸レンズとして形成され
ている。光学素子６２は小さなレンズであるが、光学装置１０の光学素子１２よりは大き
なものであり、例えばおよそ１５ｍｍから２０ｍｍの直径を持つ。ここにおいても、光学
素子６２は光軸６４を定める。
【００８３】
光学装置６０はマウント６６も有し、マウント６６は外周縁６８及び基部７０を有する
。
【００８４】
光学素子６２は、少なくとも４つの、ここでは正確に４つの、コンプライアントな支持
部７２ａ、７２ｂ、７２ｃ及び７２ｄによってマウント６６に設けられている。支持部７
２ａ、７２ｂ、７２ｃ及び７２ｄのそれぞれは、スプリングストラット配列を有しており
、これら支持部７２ａ、７２ｂ、７２ｃ及び７２ｄのスプリングストラット配列は互いに
同じ形に形成されているため、以下においては支持部７２ａの１つのスプリングストラッ
ト配列７４についてのみ説明する。
【００８５】
スプリングストラット配列７４は、第１のスプリングストラット７６及び第２のスプリ
ングストラット７８を有し、スプリングストラット２６及び２８を参照している光学装置
１０に関して説明されているように、これらは共に平行スプリングストラットを形成する
。スプリングストラット配列７４は接触領域８０も有し、これは例えば接着剤又はハンダ
によって光学素子６２に接触点８２を介して連結される。
【００８６】
スプリングストラット配列７４の構成に関しては、図５Ａ及び５Ｂの光学装置１０のス
プリングストラット配列２４の説明の全部が参照されることができる。
【００８７】
光学装置１０との違いとして、光学装置６０は全部で４つの支持部７２ａ乃至７２ｄを
有しており、またこれに対応して光学装置６０はスプリングストラット配列７４のような
スプリングストラット配列を４つ有しており、また支持部７２ａ乃至７２ｄのスプリング
ストラット配列は２個組で互いに光学素子６０の周りに９０°間隔で配置され、残りのス
プリングストラットもスプリングストラット配列７４のスプリングストラット７６及び７
８のように支持部と支持部との間で光学素子６２の周りで均一な方向に向けられている。
【００８８】
支持部７２ａ乃至７２ｄのスプリングストラット配列のスプリングストラットを含めて
、マウント６６は全体として一体的に作られる。
【００８９】
図８Ａ及び８Ｂは、光学装置１０及び光学装置６０を組み合わせたアセンブリからなる
、さらなる光学装置９０を示す。
【００９０】
図８Ｂが示すように、光学装置６０は、光学素子１２と光学素子６２との間隔が光の伝
播方向において１ｍｍ未満であるように、光学装置１０の中に組み込まれている。すなわ
ち、示されている例示的な実施形態における光学素子１２と光学素子６２との間に最小限
のエアギャップのみが光軸９４の方向において存するということである。
【００９１】
この場合、光学素子１２と光学素子６２とは、収差補正のために光学系において用いら
れるような、ダブレットを構成する。
【００９２】
光学装置１０及び６０の光軸方向の組み立てに際して、マウント１６が光学素子１２を
３つのコンプライアントな支持部２２ａ、２２ｂ及び２２ｃによってマウントし、マウン
ト６６が光学素子６２を、光軸９４の周りに互いにオフセットされた、４つのコンプライ
アントな支持部７２ａ、７２ｂ、７２ｃ及び７２ｄによってマウントするということに起
因して、次の利点がある。１つの利点としては、光学装置１０及び６０で異なる運動モー
ド及び自然周波数が生じ、結果として、光学装置１０と光学装置６０との間の自然振動を
生じさせる相互励起が回避されることである。
【００９３】
本発明のさらなる側面によると、光が光学装置１０、６０又は９０の作動中に用いられ
る有効光であるか又は迷光若しくは外来性の光であるかを問わず、接触領域３０及び８０
をそれぞれ光学素子１２又は６２に連結する接触点３２及び／又は８２を、光の影響から
保護するための手段が、光学装置１０、６０及び９０に関して、とられる。この理由は、
接触領域３２又は８２において接着が行われている場合、特に接着剤が炭化水素を基本成
分としている場合にこのような光は接着剤の破壊を起こし得るからである。
【００９４】
第１の手段は、光学素子６２及び／又は光学素子１２に、少なくとも接触点３２又は８
２の領域の外縁部９６又は９８（図８Ｂを参照）にて、使用される有効光又は発生してい
る迷光若しくは外来性の光のための反射性の及び／又は吸引性のコーティングを施すこと
である。この手段は、“内部の光”、すなわち外縁部９６又は９８に向けて半径方向に拡
散された光学素子１２又は６２内の光、が接触点３２又は８２に到達することを予防する
。
【００９５】
第２の手段は、光学装置１０、６０又は９０のために、光学装置１０及び光学装置９０
において示されたような開口絞りを設けることである。このような開口絞り１００は、図
５Ａ及び５Ｂ並びに８Ｂにおいて示されている。光の伝播方向に見ると、開口絞り１００
は光学素子１２の接触点３２に極めて近接してその前に配置されて、接触領域３０が光学
素子１２の前に配置されている故、接触点３２にある接着剤へ外来性の光又は迷光が到達
することが効果的に予防される。
【００９６】
光学素子６２の場合においては、接触点８２へ外来性の光又は迷光が当たるのを減らす
ということは、光学素子６２が半径方向に延伸された領域１０２を有することによって既
に保証されている。半径方向に延伸された領域１０２は、光学素子６２の光学的に使用さ
れている領域１０４の外側へ延び、この手段により接触点８２は既に半径方向外側に相当
移されており、外来性の光又は迷光は接触点８２に当たらないか当たるとしても僅かにし
か当たらない。
【００９７】
言うまでもなく、接触点３２及び８２を保護するための上述の手段は互いに組み合わせ
ることができる。
【符号の説明】
【００９８】
１０  光学装置
２４  スプリングストラット配列
６０  光学装置
９０  光学装置
２００  光学装置
２００’  光学装置
２００”  光学装置
２１０ｃ”  スプリングストラット配列
【図１】
2016029494.tif 000003
【図２】
2016029494.tif 000004
【図３】
2016029494.tif 000005
【図４】
2016029494.tif 000006
【図５】
2016029494.tif 000007
【図６】
2016029494.tif 000008
【図７】
2016029494.tif 000009
【図８】
2016029494.tif 000010
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
光学素子（１２；６２）と、
前記光学素子（１２；６２）が固定されているマウント（１６；６６）であって、該マウント（１６；６６）の材料は前記光学素子（１２；６２）と熱膨張率に関して合致するマウント（１６；６６）とを備え、
前記光学素子（１２；６２）は少なくとも１つのコンプライアントな支持部（２２ａ−ｃ；７２ａ―ｄ）を介して前記マウント（１６；６６）に固定され、
前記支持部（２２ａ−ｃ；７２ａ―ｄ）は、第１のスプリングストラット（２６；７６）と、少なくとも１つの第２のスプリングストラット（２８；７８）と、前記光学素子（１２；６２）が接触点（３２；８２）にて固定される接触領域（３０；８０）とを有するスプリングストラット配列（２４；７４）を有しており、
前記第１、第２のスプリングストラット（２６，２８；７６，７８）は、第１の端部（３４，３６；８４，８６）を介して前記接触領域（３０；８０）に、及び前記接触領域から遠い第２の端部（３８，４０；８８，９０）を介して前記マウントの外縁部（４２；９２）に、それぞれ連結される光学装置において、
前記第１及び第２のスプリングストラット（２６，２８；７６，７８）は、前記接触領域（３０；８０）の同じ側にて前記接触領域（３０；８０）から延び、互いにコンプライアンスの方向において隔てられ、実質的に互いに平行である
ことを特徴とする光学装置。
【請求項２】
前記第１、第２のスプリングストラット（２６，２８；７６，７８）は、板バネとして形成されることを特徴とする請求項１に記載の光学装置。
【請求項３】
前記第１、第２のスプリングストラット（２６，２８；７６，７８）は、それぞれが、それぞれの前記第１の端部（３４，３６；８４，８６）と前記第２の端部（３８，４０；８８，９０）との間において、コンプライアンスの起きる平面内での湾曲を有することを特徴とする請求項１又は請求項２に記載の光学装置。
【請求項４】
前記スプリングストラット（２６，２８；７６，７８）の湾曲は、前記光学素子からみて凹型であることを特徴とする請求項３に記載の光学装置。
【請求項５】
前記スプリングストラット（２６，２８；７６，７８）は、実質的に同じ長さであることを特徴とする請求項１乃至請求項４のいずれか１項に記載の光学装置。
【請求項６】
前記スプリングストラット（２６，２８；７６，７８）のコンプライアンスの方向において前記接触領域（３０；８０）の変位があるときに前記スプリングストラット（２６，２８；７６，７８）に均一に応力が分布するように、少なくとも１つの前記スプリングストラット（２６，２８；７６，７８）は、全長にわたっての厚み及び／又は形状が変化することを特徴とする請求項１乃至請求項５のいずれか１項に記載の光学装置。
【請求項７】
前記マウント（１６）は、それぞれスプリングストラット配列（２４）を有する３つのコンプライアントな支持部（２２ａ−ｃ）を有し、前記３つの支持部（２２ａ−ｃ）の３つの接触領域（３０）のそれぞれの２つの隣合う前記接触領域は、好適には１２０°間隔で、互いに前記光学素子（１２；６２）の周りに隔てて配置されることを特徴とする請求項１乃至請求項６のいずれか１項に記載の光学装置。
【請求項８】
前記マウント（６６）は、それぞれ前記スプリングストラット配列（７４）を有する少なくとも４つのコンプライアントな支持部（７２ａ−ｄ）を有し、前記少なくとも４つの支持部（２２ａ−ｄ）の少なくとも前記４つの接触領域（８０）のそれぞれの２つの隣合う前記接触領域は、好適には９０°間隔で、互いに前記光学素子（１２；６２）の周りに隔てて配置されることを特徴とする請求項１乃至請求項６のいずれか１項に記載の光学装置。
【請求項９】
１０００Ｈｚより高い固有周波数を有することを特徴とする請求項１乃至請求項８のいずれか１項に記載の光学装置。
【請求項１０】
第２の光学素子（６２）及び第２のマウント（６６）をさらに備え、
前記第１の光学素子（１２）が前記第２の光学素子（６２）から光の伝播方向において１ｍｍ未満の隔たりを有し、
前記第１のマウント（６６）は前記第１の光学素子（１２）のための第１の個数の前記第１の支持部（２２ａ−ｃ）を有し、
前記第２のマウント（６６）は、前記第２の光学素子（６２）のための第２の個数の前記第２の支持部（７２ａ−ｄ）を有し、
前記第１の個数は前記第２の個数と異なる
ことを特徴とする請求項１乃至請求項９のいずれか１項に記載の光学装置。
【請求項１１】
前記光学素子（１２；６２）の外縁部（９６；９８）には、少なくとも前記少なくとも１つの接触点（３２；８２）の領域において、反射性の及び／又は吸引性のコーティングが施されていることを特徴とする請求項１乃至請求項１０のいずれか１項に記載の光学装置。
【請求項１２】
前記少なくとも１つの接触点（３２）を迷光／外来性の光から遮る開口絞り（１００）をさらに備えることを特徴とする請求項１乃至請求項１１のいずれか１項に記載の光学装置。
【請求項１３】
前記開口絞り（１００）は前記少なくとも１つの接触点（３２）に極めて近接して配置されることを特徴とする請求項１２に記載の光学装置。
【外国語明細書】
2016029494000001.pdf